(57)【特許請求の範囲】
【請求項１】
背凭れの下端部より上方の左右両側部を、背凭れ支持体の上部の両側部に取り付け、前記背凭れの下端部における左右方向の中間部と、それに対向する前記背凭れ支持体の中間部前面とのいずれか一方に、左右両側面にピンを突設した突部を設け、かついずれか他方に、前記両ピンに上下方向から係合し、前記背凭れの下端部を、前後方向に移動不能、かつ上下方向に摺動可能として係止する係止部材を設け、さらに、前記背凭れ支持体を、左右１対の背凭れ支持杆の中間部を互いに内方に向かって近接するように屈曲した屈曲部同士を、互いに突き合わせて、それらの前面に設けた連結部材をもって結合したものとし、前記両背凭れ支持杆の上端部に、背凭れの下端部より上方の左右両側部を取り付け、前記連結部材に、前記突部と係止部材とのいずれか一方を設けたことを特徴とする椅子における背凭れの取付構造。
【請求項２】
互いに連結した左右の背凭れ支持杆の屈曲部の接合部分の後面を、カバーにより覆った請求項１記載の椅子における背凭れの取付構造。
【請求項３】
背凭れ支持体の上部の両側部に前方を向く連結軸を突設し、この両連結軸を、背凭れの下端部より上方の左右両側部の後面に、背凭れに対する角度変更可能として取り付け、前記背凭れの下端部における左右方向の中間部後面と、それに対向する前記背凭れ支持体の中間部前面とのいずれか一方に、左右両側面にピンをそれぞれ外側方に向けて突設した突部を設け、かついずれか他方に、前記両ピンに上下方向から係合し、前記背凭れの下端部を、前後方向に移動不能、かつ上下方向に摺動可能として係止する係止部材を設けたことを特徴とする椅子における背凭れの取付構造。
【請求項４】
係止部材が、各ピンに係合する側面視下向きまたは上向き鉤形の係止片と、ピンの外側面を覆う側片とを備えている請求項１〜３のいずれかに記載の椅子における背凭れの取付構造。
【発明の詳細な説明】
【技術分野】
【０００１】
本発明は、椅子、特にその背凭れの取付構造に関する。
【背景技術】
【０００２】
従来の椅子には、左右１対の背凭れ支持杆の上端部同士(場合によっては、さらに中間部同士も)を、横杆をもって互いに連結し、両背凭れ支持杆の上端部と中間部との前面に、背凭れの上部と下部とを取り付け、両背凭れ支持杆の中間部から下方の部分を、前方に向けて屈曲し、それらの前端部を、座を支持する支基を左右から挟むようにして支基に装着したものがある(例えば特許文献１および２参照)。
【０００３】
また、座の後方から起立する１個の背凭れ支持アームの上端部を左右方向に張り出させて、その先端部をもって背凭れの中間両側部を支持し、背凭れの下端部を、背凭れ支持アームの中間部に左右方向の軸をもって枢着し、さらに、背凭れ支持アームの下端部を前方に向けて折曲するか、または平面視前向コ字状をなす別部材を固着して(特許文献４)、その前端部を、座を支持する支基(ベース部材)に、左右方向の軸をもって枢着したものもある(例えば特許文献３および４参照)。
【先行技術文献】
【特許文献】
【０００４】
【特許文献１】特開２００１−１２８７８９号公報
【特許文献２】特開２００７−３１９２８８号公報
【特許文献３】特開２００３−２４１７５号公報
【特許文献４】特許第４１９８０１４号公報
【発明の概要】
【発明が解決しようとする課題】
【０００５】
上記特許文献１および２に記載されている椅子は、いずれも、左右の背凭れ支持杆を横杆をもって互いに連結した後に、それらの前端部を、座を支持する支基を左右から挟むようにして支基に枢着しようとすると、枢軸を、左右の背凭れ支持杆の前端部と、その間に配設した支基とを左右方向に貫通するように、側方から挿通させなければならず、その組み付け作業が面倒である。
また、支基に貫通させた左右方向を向く枢軸の両端部に、左右の背凭れ支持杆の前端部を側方から嵌合し、その後に、両背凭れ支持杆同士を横杆をもって互いに連結しようとすると、その連結作業が面倒である。
【０００６】
上記特許文献３および４に記載されている椅子においては、背凭れ支持アームが一体的に形成されているため、特許文献１および２に記載されている椅子について上述した前者、すなわち、背凭れ支持アームを支基に枢着する際、枢軸を側方より挿通させなければならず、その組み付け作業が面倒であるという問題がある(なお、特許文献３の図１においては、背凭れ支持アームが支基を両側方より挟んでいるように記載されているのに対して、同図３においては、背凭れ支持アームの前端部は二股状となっておらず、矛盾している)。
【０００７】
また、特許文献１〜３に記載されている椅子においては、背凭れの下部を枢支する軸が外側方に露呈して体裁が悪く、特許文献３に記載されている椅子においては、背凭れの枢支部と、背凭れ支持アームの軸支部とを、左右方向に整列するように位置決めして保持した状態で、取付軸を側方より、それらを貫通するように挿通させなければならず、組付作業が煩雑であり、さらに、特許文献４に記載されている椅子においては、背凭れの下端部が、左右方向の中央部のみで背凭れ支持杆に係止されているだけであるので安定性が悪い等の問題がある。
【０００８】
本発明は、上記問題点に鑑みてなされたもので、背凭れを背凭れ支持体に、また背凭れ支持体を支基に、簡単に、かつ安定よく組み付けることができるとともに、背凭れ支持杆の応力集中部分の剛性を高めることができ、さらに構造が簡単で、体裁のよい椅子における背凭れの取付構造を提供することを目的としている。
【課題を解決するための手段】
【０００９】
本発明によると、上記課題は、次のようにして解決される。
（１）背凭れの下端部より上方の左右両側部を、背凭れ支持体の上部の両側部に取り付け、前記背凭れの下端部における左右方向の中間部と、それに対向する前記背凭れ支持体の中間部前面とのいずれか一方に、左右両側面にピンを突設した突部を設け、かついずれか他方に、前記両ピンに上下方向から係合し、前記背凭れの下端部を、前後方向に移動不能、かつ上下方向に摺動可能として係止する係止部材を設け、さらに、前記背凭れ支持体を、左右１対の背凭れ支持杆の中間部を互いに内方に向かって近接するように屈曲した屈曲部同士を、互いに突き合わせて、それらの前面に設けた連結部材をもって結合したものとし、前記両背凭れ支持杆の上端部に、背凭れの下端部より上方の左右両側部を取り付け、前記連結部材に、前記突部と係止部材とのいずれか一方を設ける。
【００１０】
このような構成とすると、係止部材を、左右のピンに上下方向から係合させた後、背凭れの下端部より上方の左右両側部を、背凭れ支持体の上部の両側部に取り付けるだけで、背凭れを背凭れ支持体に、簡単に、かつ安定よく組み付けることができるとともに、左右の背凭れ支持杆を結合する連結部材に、突部と係止部材とのいずれか一方を一体的に形成することができるので、部品点数を削減し、構造を簡素化することができ、安価に製造することができる。
また、左右の背凭れ支持杆の前端部で、支基を左右から挟むようにして、両背凭れ支持杆の屈曲部同士を、互いに突き合わせて結合することにより、両背凭れ支持杆の支基への装着と、相互の結合とを同時に簡単に行うことができ、組付作業性が向上するとともに、背凭れ支持杆における応力が集中する屈曲部同士を結合するので、その部分の剛性が高まり、背凭れを強力に支持することができる。
したがって、左右方向を向く枢軸を、その両端部が支基の外側面より突出するようにして支基に装着しておき、その両側方から、左右の背凭れ支持杆の前端部を、枢軸の両端部に装着することができ、従来のように、枢軸を、左右の背凭れ支持杆の前端部と、その間に配設した支基とを左右方向に貫通するように、側方から挿通させる必要がない。
【００１１】
（２）上記(１)項において、互いに連結した左右の背凭れ支持杆の屈曲部の接合部分の後面を、カバーにより覆う。
【００１２】
このような構成とすると、左右の背凭れ支持杆の屈曲部の接合部分が外部に露呈することがなく、体裁がよい。
【００１３】
（３）背凭れ支持体の上部の両側部に前方を向く連結軸を突設し、この両連結軸を、背凭れの下端部より上方の左右両側部の後面に、背凭れに対する角度変更可能として取り付け、前記背凭れの下端部における左右方向の中間部後面と、それに対向する前記背凭れ支持体の中間部前面とのいずれか一方に、左右両側面にピンをそれぞれ外側方に向けて突設した突部を設け、かついずれか他方に、前記両ピンに上下方向から係合し、前記背凭れの下端部を、前後方向に移動不能、かつ上下方向に摺動可能として係止する係止部材を設ける。
【００１４】
このような構成とすると、着座者が背凭れに凭れて、後方にリクライニングさせ、背凭れの上部を、後方に回動および弾性撓曲させたとき、背凭れの下端部が前方に回動しようとするのを抑制し、上下方向に移動することのみを許容することによって、背凭れの下端部が前方に移動して、着座者の腰部を圧迫するのを防止することができるとともに、背凭れが後方へ弾性撓曲するのを助長し、着座者に快適な着座感を与えることができる。
また、係止部材を、左右のピンに上下方向から係合させた後、背凭れの下端部より上方の左右両側部を、背凭れ支持体の上部の両側部に取り付けるだけで、背凭れを背凭れ支持体に、簡単に、かつ安定よく組み付けることができるとともに、左右の背凭れ支持杆を結合する連結部材に、突部と係止部材とのいずれか一方を一体的に形成することができるので、部品点数を削減し、構造を簡素化することができ、安価に製造することができる。
さらに、背凭れの両側部が左右の連結軸に対して角度変更可能であるので、着座者が背凭れに凭れて、後方にリクライニングさせ、背凭れの左右方向の中間部が後方に凹入するように弾性撓曲したとき、背凭れの両側部がそれに追従して、左右の連結軸に対して平面視においてハ字状をなすように回動し、背凭れの左右方向の中間部の後方への弾性撓曲を許容したり助長したりすることができ、快適な着座感が得られる。
また、背凭れは、着座者が背凭れに凭れて、後方にリクライニングさせたとき、背凭れの上部が後方に弾性撓曲し易くなり、快適な着座感が得られる。
【００１５】
（４）上記(１)〜(３)項のいずれかにおいて、係止部材が、各ピンに係合する側面視下向きまたは上向き鉤形の係止片と、ピンの外側面を覆う側片とを備えるものとする。
【００１６】
このような構成とすると、各ピンの外側端が、係止部材の両側片により覆われ、外側方に露呈することがないので、体裁がよい。
【発明の効果】
【００１９】
本発明によると、背凭れを背凭れ支持体に、また背凭れ支持体を支基に、簡単に、かつ安定よく組み付けることができるとともに、背凭れ支持杆の応力集中部分の剛性を高めることができ、さらに構造が簡単で、体裁のよい椅子を提供することができる。
【図面の簡単な説明】
【００２０】
【図１】本発明の一実施形態を備える椅子の側面図である。
【図２】同じく、背面図である。
【図３】支基と背凭れ支持体とを斜め前方より見た分解斜視図である。
【図４】背凭れを斜め後方より見た分解斜視図である。
【図５】連結部材に設けたピンの中心軸線を含む水平面で切断した横断平面図である。
【図６】図５のVI−VI線に沿う縦断側面図である。
【図７】連結軸の中心軸線を含む垂直面で切断した拡大縦断側面図である。
【図８】図７のVIII−VIII線に沿う横断平面図である。
【発明を実施するための形態】
【００２１】
以下、本発明の一実施形態を、添付図面に基づいて説明する。
図１および図２に示すように、この椅子は、先端部にキャスタ１が設けられた放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００２２】
支基５は、上面が開口するほぼ中空箱状をなし、上面の開口部は、着脱可能なカバー５ａ(図３参照)により覆われている。
【００２３】
支基５の内部には、背凭れ６を起立する方向、すなわち前方に向かって付勢する付勢手段や、支基５によって支持された座７を前方に向かって付勢する付勢手段(いずれも図示略)等が設けられているが、それらについては、本発明に直接関係しないので、図示および詳細な説明は省略する。
【００２４】
背凭れ６は、適度の弾性を有する合成樹脂製の背板６ａの前後両面を、クッション体６ｂを介して表皮材６ｃで被包したものよりなっている(図５〜図８参照)。
【００２５】
支基５の前後方向の中間部には、左右方向を向く八角柱等の非円形断面の枢軸８が、その中心軸線回りに回動可能として、また両端部が支基５の両側面より外側方に突出するように貫通して枢支されている(図３参照)。
【００２６】
支基５の両側壁より左右に突出する枢軸８の両端部には、背凭れ６を支持する背凭れ支持体９における前方に向かって二股状をなす前端両側部の内面に設けた軸孔１０が嵌合され、枢軸８は、背凭れ支持体９と一体となって、支基５に対して回動するようになっている。
軸孔１０は、枢軸８の端部と補形をなす非円形孔である。
【００２７】
枢軸８は、支基５内に設けた、例えば、ゴムトーションスプリングや、ねじりコイルばね等よりなる付勢手段(図示略)により、背凭れ６および背凭れ支持体９が起立する方向、すなわち図１における反時計回りに付勢されている。
【００２８】
図３に示すように、背凭れ支持体９は、左右１対の背凭れ支持杆１１、１２の中間部を互いに内方に向かって近接するように屈曲した屈曲部１１ａ、１２ａ同士を、互いに突き合わせて、着脱可能として結合し、屈曲部１１ａ、１２ａから下方の部分を前方に向かって屈曲し、その前下方に向かって左右に拡開する前向部１１ｂ、１１ｂの前端部内面に上記軸孔１０、１０を設け、両軸孔１０、１０を支基５の両側壁より左右に突出する枢軸８の両端部に嵌合することにより、両前向部１１ｂ、１２ｂが、支基５を左右から挟むようにして支基５に装着されている。
【００２９】
背凭れ支持体９における左右の背凭れ支持杆１１、１２の屈曲部１１ａ、１２ａより上方に向かって左右に拡開するように延出する上向部１１ｃ、１２ｃの上端部により、背凭れ６における下端部より上方の両側部を、後述するような構造をもって支持している。
【００３０】
左右の背凭れ支持杆１１、１２における屈曲部１１ａ、１２ａの対向端面の一方(屈曲部１１ａ)の上下部と中央部とには、上下１対の凸部１３、１４と、それらの間の凹部１５とが形成され、また他方の対向端面の上下部とその間とには、上記各凸部１３、１４と凹部１５とに補形をなす上下１対の凹部１６、１７と凸部１８とが設けられている。
各凸部１３、１４、１８は、先端に向かって上下幅が漸次小となる横向台形状とし、各凹部１６、１７、１５は、それに補形をなすように、先端に向かって上下に拡開する形状とするのが好ましい。
【００３１】
また、左右の屈曲部１１ａ、１２ａの前面における対向面より若干外側方に寄った部分には、上下方向を向く左右１対のリブ状の前向き突片１９、１９が設けられており、両前向き突片１９、１９の外側面には、平面視において前方に向かって内方に傾斜する傾斜面１９ａ、１９ａが形成されている。
【００３２】
左右の背凭れ支持杆１１、１２は、互いに対向する凸部１３、１４と凹部１６、１７、および凹部１５と凸部１８を互いに嵌合させて、屈曲部１１ａ、１２ａの対向端面同士を密接させた状態で、その前面から、連結部材２０を、締着手段である４個の小ねじ２１をもって、左右の屈曲部１１ａ、１２ａに締着することにより、互いに強固に結合されている。
【００３３】
図３〜図５に示すように、連結部材２０は、正面形がほぼ長方形の基部２０ａの後面に、内側面が後方に向かって拡開する傾斜面２０ｂ、２０ｂをなす左右１対の側片２０ｃ、２０ｃと、中央の後向突部２０ｄとが突設され、かつ基部２０ａの両側面に、外側方に向かって突出するピン２０ｅを突設したものよりなっている。
【００３４】
なお、図示の例では、基部２０ａの前面に、その左右幅より長いピン２０ｅを横向きとして一体的に固着したような形状としてあるが、基部２０ａの両側面よ外側方に突出するものであれば、どのようなものでもよい。
また、ピン２０ｅの断面形状は、この例では上下方向に長い楕円形としてあるが、上下方向に長い長円形としたり、または真円としたりすることもできる。
【００３５】
図２および図３に示すように、互いに結合した左右の背凭れ支持杆１１、１２における屈曲部１１ａ、１２ａの後面を中心として、背凭れ支持体９の後面の大部分は、後面視ほぼＸ字状とした軟質合成樹脂製のカバー２２により覆われている。
【００３６】
背凭れ支持体９は、上記のような構成としてあるので、左右の背凭れ支持杆１１、１２の前端部で、支基５を左右から挟むようにして、両背凭れ支持杆１１、１２の屈曲部１１ａ、１２ａ同士を、互いに突き合わせて結合することにより、両背凭れ支持杆１１、１２の支基５への装着と、相互の結合とを同時に簡単に行うことができ、組付作業性が向上するとともに、背凭れ支持杆１１、１２における応力が集中する屈曲部１１ａ、１２ａ同士を結合するので、その部分の剛性が高まり、背凭れ６を強力に支持することができる。
【００３７】
したがって、左右方向を向く枢軸８を、その両端部が支基５の外側面より突出するようにして支基５に装着しておき、その両側方から、左右の背凭れ支持杆１１、１２の前端部を、枢軸８の両端部に軸孔１０が嵌合するようにして、簡単に装着することができ、従来のように、枢軸８を、左右の背凭れ支持杆１１、１２の前端部と、その間に配設した支基５とを左右方向に貫通するように、側方から挿通させる必要がない。
また、構造が簡単で、安価に製造することができる。
【００３８】
さらに、各凸部１３、１４、１８を、対応する各凹部１６、１７、１５に嵌合し、かつ左右の側片２０ｃ、２０ｃの傾斜面２０ｂ、２０ｂを、左右の背凭れ支持杆１１、１２における屈曲部１１ａ、１２ａの前面に設けた前向き突片１９、１９の傾斜面１９ａ、１９ａに当接させて、連結部材２０の基部２０ａを、締着手段である小ねじ２１をもって、屈曲部１１ａ、１２ａの前面に締め付けることにより、傾斜面２０ｂ、２０ｂと傾斜面１９ａ、１９ａとが互いに摺動して、左右の屈曲部１１ａ、１２ａ同士が互いに引き寄せられるとともに、各凸部１３、１４、１８と各凹部１６、１７、１５との嵌合により、屈曲部１１ａ、１２ａ同士が上下方向に位置決めされ、屈曲部１１ａ、１２ａ同士は、互いに確実かつ強固に結合される。それによって、左右の背凭れ支持杆１１、１２のいずれか一方のみに負荷が集中するのを防止することができる。
【００３９】
左右の背凭れ支持杆１１、１２における屈曲部１１ａ、１２ａ同士を互いに結合した後、それらの後面にカバー２２を装着することにより、屈曲部１１ａ、１２ａの接合部分は後方に露呈することはなく、体裁がよい。
また、連結部材２０は、後方を背凭れ支持杆１１、１２における屈曲部１１ａ、１２ａやカバー２２によって覆われ、また前方を、後述するように背凭れ６の下部によって覆われ、前後方向に露呈することがなく、体裁がよい。
【００４０】
図４〜図６に示すように、背凭れ６の下端部における左右方向の中間部の後面には、係止部材２３における左右方向に長い長方形の基片２３ａが、左右１対の小ねじ２４をもって固着されている。
【００４１】
係止部材２３は、上記基片２３ａと、この基片２３ａの下端部前面より前方に突出し、背凭れ６の下縁に係合するようにした前向き突片２３ｂと、基片２３ａの両側部より後方に側面視下向鉤形に突出し、連結部材２０におけるピン２０ｅの両側部に上方より係合しうるようにした左右１対の係止片２３ｃ、２３ｃと、この係止片２３ｃ、２３ｃに係合したピン２０ｅの両外側面を覆う左右１対の側片２３ｄ、２３ｄとを備えている。
【００４２】
この係止部材２３における左右の係止片２３ｃ、２３ｃを、ピン２０ｅの両側部に上方より係合させることにより、背凭れ６の下端部は、前後方向に移動不能、かつ上下方向に摺動可能、さらに、ピン２０ｅを中心に若干前後方向に回動可能として、背凭れ支持体９における屈曲部１１ａ、１２ａに連係されている。
【００４３】
なお、左右両側面にピン２０ｅを突設した突部を、背凭れ６の下端部後面に設け、係止部材２３を、その係止片２３ｃ、２３ｃが側面視上向き鉤形をなすように上下反転させて、背凭れ支持体９の前面に、例えば連結部材２０と一体として設けて実施することもできる。
【００４４】
次に、図４、図７および図８を参照して、各背凭れ支持杆１１、１２の上端部と、背凭れ６の下端部より上方の左右両側部との連結構造について説明する。
背凭れ６の両側部における背板６ａの上下方向のほぼ中央部には、側面視および平面視において中央部が前方に円弧状に突出する球面状の屈曲部２５が形成されている。
【００４５】
各屈曲部２５の後面には、それと補形をなすべく背凭れ支持杆１１、１２の上端部前面に別体として突設した、側面視および平面視において中央部が前方に円弧状に突出する球面状の凸部２６が摺動自在に嵌合されており、この凸部２６の前面に突設した連結軸２７を、背板６ａの屈曲部２５に設けた、前方に向かってテーパー孔状に拡開する貫通孔２８に遊嵌し、屈曲部２５より前方に突出した連結軸２７における雄ねじ部２７ａの前端部に、貫通孔２８の前端開口部より上下寸法および左右寸法が大きい抜け止め手段をなす板ナット２９を螺合して固着することにより、背凭れ６の両側部は、屈曲部２５および凸部２６の前面の曲率中心を中心として、全方向に回動可能として背凭れ支持杆１１、１２の上端部に装着されている。
【００４６】
背凭れ支持杆１１、１２の上端部前面と、板ナット２９の後面との間には、スペーサスリーブ３０が、凸部２６と屈曲部２５の貫通孔２８とを貫通するようにして設けられ、このスペーサスリーブ３０内に、背凭れ支持杆１１、１２の上端部に後方より貫通させたボルトとした連結軸２７が挿通され、板ナット２９の締め過ぎを防止しうるようにしてある。
【００４７】
なお、屈曲部２５を、球面状ではなく、側面視のみにおいて中央部が前方に突出する円弧状とするとともに、その後面に嵌合する凸部２６も、側面視のみにおいて中央部が前方に突出する円弧状とし、さらに、貫通孔２８を、上下方向に長い長孔とし、背凭れ６の両側部が、屈曲部２５および凸部２６の前面の曲率中心を通る左右方向を向く軸線回りのみに回動可能として背凭れ支持杆１１、１２の上端部に装着してもよい。
【００４８】
背板６ａの両側部前面には、方形の凹部３１が設けられ、この凹部３１の後壁に屈曲部２５が形成され、この凹部３１に前方より嵌合した蓋状のカバー３２により、抜け止め手段である板ナット２９の前方が覆われている。
このカバー３２を設けたことにより、板ナット２９が前方に露呈することがなくなるので、体裁がよく、また背板６ａの前面に設けたクッション体６ｂの後面が、板ナット２９等の抜け止め手段に擦れてクッション体６ｂを傷めたり、抜け止め手段がクッション体６ｂおよび表皮材６ｃを介して着座者に当り、着座者に不快感を与えたりするのを防止することができる。
【００４９】
また、カバー３２の裏面の下部より後上方に向かって延出する弾性舌片３２ａの後端部を、板ナット２９の下縁に圧接させることにより、板ナット２９を回り止めすることができるとともに、連結軸２７が貫通孔２８に遊嵌されていることによる背凭れ６のがたつきを防止することができる。さらに、弾性舌片３２ａにより、板ナット２９を上向きに付勢し、その反力で背凭れ６を下向きに付勢していることにより、背もたれ６が常時は下限位置に位置しているが、着座者の背等により、背もたれ６の上部が後方に押動されたときは、弾性舌片３２ａが弾性変形して、背凭れ６の上部の後傾に適度の抵抗力を付与することができるようにしてある。
【００５０】
なお、弾性舌片３２ａは、カバー３２の裏面の上部より後上方に向かって延出し、板ナット２９の上縁またはその他の外周縁に圧接するように設けたり、カバー３２の裏面の上下部より後上方に向かって延出し、板ナット２９を上下から挾圧把持するように設けたりしてもよい。
【００５１】
背凭れ６を、背凭れ支持体９に対して上記のように支持させたことにより、背凭れ６は、左右の凸部２６を中心として前後方向に回動することができ、着座者が背凭れ６に凭れて、後方にリクライニングさせたとき、屈曲部２５より上方の部分が後方に弾性撓曲し易くなり、快適な着座感が得られる。
また、背板６ａの両側部に設けた貫通孔２８を、背凭れ支持杆１１、１２の両側部に突設した連結軸２７に嵌合し、貫通孔２８から前方に突出した各連結軸２８の前端部に抜け止め手段を取り付けるだけで、背凭れ６を背凭れ支持体９に簡単に取り付けることができるとともに、背凭れ６の両側部の支持部の構造を簡素化することができる。
【００５２】
さらに、背凭れ６の両側部が左右の連結軸２７、２７に対して全方向に回動しうるので、着座者が背凭れ６に凭れて、後方にリクライニングさせ、背凭れ６の左右方向の中間部が後方に凹入するように弾性撓曲したとき、背凭れ６の両側部がそれに追従して、左右の連結軸２７、２７に対して平面視においてハ字状をなすように回動したり、互いに内方に引き寄せられるように移動したりして、背凭れ６の左右方向の中間部の後方への弾性撓曲を許容したり助長したりすることができ、より快適な着座感が得られる。
【００５３】
しかも、背凭れ６の下端部を、上記のような構成をもって、背凭れ支持体６における屈曲部１１ａ、１２ａに連係させたことにより、着座者が背凭れ６に凭れて、後方にリクライニングさせ、背凭れ６の上部を、左右の凸部２６、２６を中心として後方に回動および弾性撓曲させたとき、背凭れ６の下端部が前方に回動しようとするのを抑制し、上下方向に移動することのみを許容することによって、背凭れ６の下端部が前方に移動して、着座者の腰部を圧迫するのを防止することができるとともに、背凭れ６が後方へ弾性撓曲するのを助長し、着座者に快適な着座感を与えることができる。
【００５４】
また、係止部材２３を、左右のピン２０ｅに上下方向から係合させた後、背凭れ６の下端部より上方の左右両側部を、背凭れ支持体９の上部の両側部に、上記のようにして取り付けるだけで、背凭れ６を背凭れ支持体９に、簡単に、かつ安定よく組み付けることができる。
【００５５】
さらに、左右の背凭れ支持杆１１、１２を結合する連結部材２０に、ピン２０ｅ(または係止部材)を一体的に形成することができるので、部品点数を削減し、構造を簡素化することができ、安価に製造することができる。
【００５６】
本発明は、上記実施形態のみに限定されるものではなく、幾多の変形した態様での実施が可能である。
例えば、背凭れ支持体９を一体的に形成するとともに、両側面にピン２０ｅを突設した突部(または係止部材)を、その背凭れ支持体９の前面適所に、一体的に、または別体として設けてもよい。
【符号の説明】
【００５７】
１  キャスタ
２  脚杆
３  脚体
４  脚柱
５  支基
５ａカバー
６  背凭れ
６ａ背板
６ｂクッション体
６ｃ表皮材
７  座
８  枢軸
９  背凭れ支持体
１０  軸孔
１１、１２  背凭れ支持杆
１１ａ、１２ａ  屈曲部
１１ｂ、１２ｂ  前向部
１１ｃ、１２ｃ  上向部
１３、１４  凸部
１５  凹部
１６、１７  凹部
１８  凸部
１９  前向き突片
１９ａ  傾斜面
２０  連結部材
２０ａ基部
２０ｂ傾斜面
２０ｃ側片
２０ｄ後向突部
２０ｅピン
２１  小ねじ
２２  カバー
２３  係止部材
２３ａ基片
２３ｂ前向き突片
２３ｃ係止片
２３ｄ側片
２４  小ねじ
２５  屈曲部
２６  凸部
２７  連結軸
２７ａ雄ねじ部
２８  貫通孔
２９  板ナット
３０  スペーサスリーブ
３１  凹部
３２  カバー
３２ａ弾性舌片
【図１】
0005479800.tif 000002
【図２】
0005479800.tif 000003
【図３】
0005479800.tif 000004
【図４】
0005479800.tif 000005
【図５】
0005479800.tif 000006
【図６】
0005479800.tif 000007
【図７】
0005479800.tif 000008
【図８】
0005479800.tif 000009